(57)【特許請求の範囲】
【請求項１】
天井に固定された連結金具に、吊下手段を介して吊下げられる天井扇風機本体で、前記吊下手段は前記連結金具に取付可能な第１連結部と、この第１連結部の下部に第２連結部を有し、前記天井扇風機本体は、水平方向に付設した複数の羽根を回転するモータと、そのモータの上部に突出したシャフトと、そのシャフトの上部に固定されたジョイント部を有し、このジョイント部は前記第２連結部に可動自在に取付け、前記第２連結部と、前記ジョイント部とに、前記モーターの回転力により前記天井扇風機本体が水平方向で前記モーターの回転方向に対して逆向きに回転するのを防止する本体回転防止手段を設け、前記天井扇風機本体運転時に前記天井扇風機本体の揺動によって前記本体回転防止手段が解除された場合、前記天井扇風機本体の回転と、前記第２連結部での前記ジョイント部の回転とを検知し、前記モータの運転を停止させる異常回転検知手段を設けた天井扇風機。
【請求項２】
ジョイント部は略半球形状で球面に溝を有する形状であるボールジョイントであり、前記第２連結部は前記ボールジョイントを可動自在に保持するお椀状で、前記シャフトが通ることができる切欠き部と、前記溝に挿入可能な突起である前記本体回転防止手段とを備えた請求項１に記載の天井扇風機。
【請求項３】
突起は前記ボールジョイントの前記溝に挿入した状態で、前記溝と隙間を備えた板形状である請求項２に記載の天井扇風機。
【請求項４】
ボールジョイントが水平方向回転時に、前記ボールジョイントの前記溝の内面と前記ボールジョイントの外周面が交わる角部が、前記突起の端面に接触する請求項３に記載の天井扇風機。
【請求項５】
異常回転検知手段は前記本体回転防止手段である前記突起が削れるかまたは折れることにより、前記天井扇風機本体が回転した場合に前記モータの運転を停止させる請求項２〜４のいずれかに記載の天井扇風機。
【請求項６】
異常回転検知手段は、第１の回転検知具と第２の回転検知具とからなり、前記第１の回転検知具は前記第２の連結部に固定され、前記第２の回転検知具は前記天井扇風機本体に固定され前記天井扇風機本体が回転した場合に分離可能に接合した前記第１の回転検知具と前記第２の回転検知具が所定の距離を離れることにより前記モータへの電源供給が止まる請求項２〜５のいずれかに記載の天井扇風機。
【請求項７】
第１の回転検知具は電源と導通し、第２の回転検知具は前記モータと導通した請求項６に記載の天井扇風機。
【請求項８】
第１の回転検知具と第２の回転検知具は嵌合力により接合し導通状態である請求項７に記載の天井扇風機。
【請求項９】
第１の回転検知具に雌型コネクターを備え第２の回転検知具に雄型コネクターを備えた請求項８に記載の天井扇風機。
【請求項１０】
第２の回転検知具に備えられた雄型コネクターは、前記雄型コネクターの先端が斜め上方を向くように固定された請求項９に記載の天井扇風機。
【請求項１１】
第１の回転検知具と第２の回転検知具は磁力により接合し導通状態である請求項７に記載の天井扇風機。
【請求項１２】
第１の回転検知具にマグネットを備え第２の回転検知具に金属板を備えた請求項１１に記載の天井扇風機。
【請求項１３】
第２の回転検知具はプッシュオンスイッチであり、このプッシュオンスイッチが第１の回転検知具と接触することにより導通状態となる請求項６に記載の天井扇風機。
【請求項１４】
第１の回転検知具と第２の回転検知具の距離の変位を前記第２の回転検知具により電気信号として送信し、前記電気信号が所定のしきい値を超えた場合に、前記モータへの通電を停止する制御手段を設けた請求項６に記載の天井扇風機。
【請求項１５】
制御手段に前記しきい値が調整可能なしきい値調整手段を設けた請求項１４に記載の天井扇風機。
【請求項１６】
第１の回転検知具と第２の回転検知具の距離の変位を、前記第１の回転検知具と前記第２の回転検知具によって磁力の変位により検出し、前記第２の回転検知具により前記制御手段へ電気信号として送信する請求項１４に記載の天井扇風機。
【請求項１７】
第１の回転検知具にマグネットを設け、第２の回転検知具に磁気検出部を設けた請求項１６に記載の天井扇風機。
【請求項１８】
第１の回転検知具と第２の回転検知具の距離の変位を、前記第１の回転検知具と前記第２の回転検知具によって赤外線の変位により検出し、前記第２の回転検知具により前記制御手段へ電気信号として送信する請求項１４に記載の天井扇風機。
【請求項１９】
第１の回転検知具に反射板を設け、第２の回転検知具に赤外線発光部と赤外線受光部を設けた請求項１８に記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に固定される連結金具と、この連結金具に吊下手段を介して吊下げられる天井扇風機本体とからなる構成となっていた。
【０００４】
例えば、これに類似する先行文献は下記特許文献１に記載されている。
【先行技術文献】
【特許文献】
【０００５】
【特許文献１】特開平３−２９４６９６号公報
【発明の概要】
【発明が解決しようとする課題】
【０００６】
上記従来例における課題は、天井から天井扇風機を吊下げ運転すると、現場によっては天井扇風機本体に大きな揺動が発生するということであった。
【０００７】
すなわち、天井扇風機本体を構成する複数の羽根は現場で取付られるので、これら複数枚の羽根の取付にアンバランスが発生することが多く、このようなアンバランスな取付が生じている状態では、運転時に天井扇風機本体に大きな揺動が発生し、その揺動によって天井扇風機本体の連結部での異常な磨耗が起こり、本体の落下に繋がる場合がある。
【０００８】
この点を回避すべく落下防止用のワイヤー等を天井扇風機本体に固定しているものもあるが、このワイヤーとて、長期的な過負荷が加わると、切断しその結果、天井扇風機本体が落下するという問題は発生する。
【０００９】
そこで本発明は、落下を防止することを目的とするものである。
【課題を解決するための手段】
【００１０】
そしてこの目的を達成するために本発明は、天井に固定された連結金具に、吊下手段を介して吊下げられる天井扇風機本体で、前記吊下手段は前記連結金具に取付可能な第１連結部と、この第１連結部の下部に第２連結部を有し、前記天井扇風機本体は、水平方向に付設した複数の羽根を回転するモータと、そのモータの上部に突出したシャフトと、そのシャフトの上部に固定されたジョイント部を有し、このジョイント部は前記第２連結部に可動自在に取付け、前記第２連結部と、前記ジョイント部とに、前記モーターの回転力により前記天井扇風機本体が水平方向で前記モーターの回転方向に対して逆向きに回転するのを防止する本体回転防止手段を設け、前記天井扇風機本体運転時に前記天井扇風機本体の揺動によって前記本体回転防止手段が解除された場合、前記天井扇風機本体の回転と、前記第２連結部での前記ジョイント部の回転とを検知し、前記モータの運転を停止させる異常回転検知手段を設け、これにより初期の目的を達成するものである。
【発明の効果】
【００１１】
以上のように本発明は、天井に固定された連結金具に、吊下手段を介して吊下げられる天井扇風機本体で、前記吊下手段は前記連結金具に取付可能な第１連結部と、この第１連結部の下部に第２連結部を有し、前記天井扇風機本体は、水平方向に付設した複数の羽根を回転するモータと、そのモータの上部に突出したシャフトと、そのシャフトの上部に固定されたジョイント部を有し、このジョイント部は前記第２連結部に可動自在に取付け、前記第２連結部と、前記ジョイント部とに、前記モーターの回転力により前記天井扇風機本体が水平方向で前記モーターの回転方向に対して逆向きに回転するのを防止する本体回転防止手段を設け、前記天井扇風機本体運転時に前記天井扇風機本体の揺動によって前記本体回転防止手段が解除された場合、前記天井扇風機本体の回転と、前記第２連結部での前記ジョイント部の回転とを検知し、前記モータの運転を停止させる異常回転検知手段を設けたものであり、すなわち、本体回転防止手段と異常回転検知手段を設けたので、まず、運転時に天井扇風機本体に大きな揺動が発生した場合に、本体回転防止手段が解除され、天井扇風機本体が回転を始める。次に、異常回転検知手段が天井扇風機本体の回転を検知し、モータの運転を停止することができる。
【００１２】
これらのように、羽根が不正規の状態に取り付けられたまま天井扇風機本体を運転した場合等に発生する本体の大きな揺動を検知し、運転を停止することができるものであり、結果として、運転時に天井扇風機本体に大きな揺動が発生し、その揺動によって天井扇風機本体の連結部での異常な磨耗による本体の落下を防止することが出来る。
【図面の簡単な説明】
【００１３】
【図１】本発明の実施の形態１の天井扇風機を示す外観図
【図２】同天井扇風機の外観図
【図３】同天井扇風機を示す外観図
【図４】本発明の実施の形態２の天井扇風機を示す外観図
【図５】同天井扇風機の異常回転検知手段を示す外観図
【図６】本発明の実施の形態３の天井扇風機を示す外観図
【図７】本発明の実施の形態４の天井扇風機を示す外観図
【図８】本発明の実施の形態５の天井扇風機を示す外観図
【発明を実施するための形態】
【００１４】
以下、本実施形態を添付図面を用いて説明する。
【００１５】
（実施の形態１）
図１、図２および図３に示すように、本実施の形態の天井扇風機は、天井１に固定された連結金具２に、吊下手段３を介して天井扇風機本体４が吊下げられるものである。
【００１６】
連結金具２は円柱形状の線材で、上端側は天井１に固定され、下端側は吊下手段３を引っ掛け可能にその線材でＪ型の形状を形成している。吊下手段３は、コの字の上部が開口した吊下枠７の上部に連結金具２が引っ掛けられる第１連結部５と、下部にジョイント部１４が可動自在に嵌合する第２連結部６を有している。
【００１７】
第１連結部５は吊下枠７に水平に固定された円柱状の軸９と、この円柱状の軸９に回転自在に挿入され、外周中央部に凹溝を備えた円盤形状のプーリー８と、このプーリー８の両端に、プーリー８を円柱状の軸９の中心付近に固定する軸９に挿入された中空円柱状の２つのスペーサー１０とを設けた構成としている。
【００１８】
第２連結部６は球面を可動自在に保持するお椀状で、シャフト１１が通ることができる切欠き部１２を備えた受け部１５を吊下枠７と一体で構成している。
【００１９】
天井扇風機本体４は、水平方向に付設した複数の羽根１３を回転するモータ（図示せず）と、そのモータの上部に突出した円柱状のシャフト１１と、そのシャフト１１の上部に固定された略半球形状のボールジョイント２１からなるジョイント部１４とを設けた構成としている。
【００２０】
このジョイント部１４は第２連結部６に可動自在に取り付けることができる。
【００２１】
すなわち、第２連結部６であるお椀状でシャフト１１が通ることができる切欠き部１２を備えた受け部１５に、ジョイント部１４である略半球形状のボールジョイント２１の球面部が可動自在に嵌合するものである。
【００２２】
本実施形態において特徴は、第２連結部６とジョイント部１４とに設けた本体回転防止手段１６が解除された場合に、天井扇風機本体４の回転を検知し、モータの運転を停止させる異常回転検知手段１７を設けたことである。
【００２３】
本体回転防止手段１６は、第２連結部６の球面を可動自在に保持するお椀状で、シャフト１１が通ることができる切欠き部１２を備えた受け部１５に一体で設けた長方形の板形状である金属の突起１８と、ジョイント部１４であるボールジョイント２１の略半球形状の球面に垂直方向に設けた断面形状が略長方形である溝１９とから構成している。
【００２４】
第２連結部６であるお椀状でシャフト１１が通ることができる切欠き部１２を備えた受け部１５に、ジョイント部１４である略半球形状のボールジョイント２１の球面部が可動自在に嵌合し、その状態で、ボールジョイント２１の溝１９に突起１８が嵌り、溝１９と突起１８の間には隙間２０を有する。
【００２５】
このように、溝１９と突起１８の間に隙間２０を有することにより、ジョイント部１４である略半球形状のボールジョイント２１の球面部が可動自在に嵌合した時、容易にボールジョイント２１の溝１９に突起１８が嵌り易くなる。
【００２６】
そして、天井扇風機本体を運転した場合に、モーターの回転力により、ボールジョイント２１が水平方向でモーターの回転方向に対して逆向きに回転し、ボールジョイント２１の溝１９の内面とボールジョイント２１の外周面が交わる角部２２が、突起１８の端面に接触することとなる。
【００２７】
すなわち、天井扇風機本体４が揺動する場合には、ボールジョイント２１の溝１９の内面とボールジョイント２１の外周面が交わる角部２２が、突起１８の端面に接触する。
【００２８】
このように、接触する面がボールジョイント２１の角部２２と突起１８の端面であるので接触面積が小さく、よって摩擦力も小さくなり天井扇風機本体を運転し揺動が発生した場合に、受け部１５上でボールジョイント２１がより滑らかに可動することができる。
【００２９】
また、羽根が不正規の状態に取り付けられたまま天井扇風機本体を運転している場合など、運転時における本体の大きな揺動が発生した場合に、その揺動によってボールジョイント２１の角部２２が大きく上下に移動し、突起１８の端面の一点と擦れ合うこととなる。すなわち、その上下移動距離分のボールジョイント２１の角部２２が自らも磨耗しながら、突起１８の端面の面積の小さい一点を磨耗することとなる。なお、ボールジョイント２１の材質は１例としてナイロン６６にガラス繊維が入ったものである。このガラス繊維により、受け部１５との可動性が向上するとともに、金属を削ることも可能となる。
【００３０】
これにより、本体回転防止手段１６である突起１８が削れるか、または折れることとなり、結果として、本体回転防止手段１６が解除されたこととなる。
【００３１】
このように、ボールジョイント２１の角部２２を突起１８の端面に接触させた場合に、突起１８が削れるか、または折れることで、羽根が不正規の状態に取り付けられたまま天井扇風機本体を運転している場合などの大きな揺動を感知することができる。
【００３２】
そこで、突起１８が削れるか、または折れることで、天井扇風機本体４が回転した場合に、異常回転検知手段１７はモータの運転を停止させるものである。
【００３３】
異常回転検知手段１７は、第１の回転検知具２３と第２の回転検知具２４とから構成し、第１の回転検知具２３は第２連結部６に固定され、第２の回転検知具２４は天井扇風機本体４に固定されている。
【００３４】
また、第１の回転検知具２３と第２の回転検知具２４は分離可能に接合し、モータへの電源供給の連結部でもある。
【００３５】
そして、天井扇風機本体４が回転した場合に第１の回転検知具２３と第２の回転検知具２４が所定の距離を離れることにより、モータへの電源供給が絶たれ天井扇風機本体の運転を止めることができるものである。
【００３６】
また、第１の回転検知具２３は電源と導通し、第２の回転検知具２４は前記モータと導通している。
【００３７】
このように、上部に位置する第１の回転検知具２３は天井から供給される電源と導通し、下部に位置する第２の回転検知具２４はモータと導通するので、容易に配線を行うことができる。
【００３８】
また、第１の回転検知具２３と第２の回転検知具２４は嵌合力により接合し導通状態となっている。この嵌合力は天井扇風機本体４が回転した場合の回転力より小さいものである。
【００３９】
このように、天井扇風機本体４が回転した場合の回転力より、小さな嵌合力で第１の回転検知具２３と第２の回転検知具２４とを接合し導通状態とするので、天井扇風機本体４が回転した時に、第１の回転検知具２３と第２の回転検知具２４との接合が離れ、モータへの電源供給を絶ち、天井扇風機本体の運転を止めることができる。
【００４０】
具体的には、第１の回転検知具２３は吊下枠７の側面にコードクリップ２７で電源と繋がったコード２８を固定し、そのコード２８の先端に雌型コネクター２５を備え、また、第２の回転検知具２４は天井扇風機本体４の天面に雄型コネクター２６を固定し、その雄型コネクター２６はモータと導通したものである。
【００４１】
このように、天井から供給される電源と導通している第１の回転検知具２３が雌型コネクター２５であるため、天井扇風機本体４が回転し、第１の回転検知具２３と第２の回転検知具２４との接合が離れた場合に、コード２８の先端に雌型コネクター２５を備えているため、雌型コネクター２５は可動自在であるが、充電部が雌型コネクター２５によって囲われ、露出していないので、充電部どうしが接触することがないので、より安全にモータへの電源供給を絶ち、天井扇風機本体の運転を止めることができる。
【００４２】
また、第２の回転検知具２４である雄型コネクター２６は、雄型コネクター２６の充電部２９が斜め約４５度上方を向くように天井扇風機本体４の天面に固定され、第１の回転検知具２３である雌型コネクター２５はコード２８の先端に固定され、そのコード２８をコードクリップ２７で雄型コネクター２６の固定位置より、上方でかつ水平面上で９０度、羽根の回転方向に回転した位置である吊下枠７の側面に固定している。
【００４３】
このように固定することで、雄型コネクター２６と嵌合する雌型コネクター２５からコードクリップ２７で固定されるコード２８と、雄型コネクター２６の充電部２９との角度がほぼ同じになり、天井扇風機本体４が回転した場合の回転力が雄型コネクター２６と雌型コネクター２５の嵌合部が抜ける方向とほぼ同じ方向に働くので、雄型コネクター２６に無理な力が働かず、雄型コネクター２６と雌型コネクター２５とをはずすことができる。
【００４４】
（実施の形態２）
実施の形態２は図４および図５に示すように、実施の形態１に対して異常回転検知手段１７ａは第１の回転検知具２３ａと第２の回転検知具２４ａとの接合を磁力により接合する点が相違する。
【００４５】
すなわち、第１の回転検知具２３ａと第２の回転検知具２４ａとは磁力により接合し、導通状態となるものである。
【００４６】
具体的には、第１の回転検知具２３ａの下面に平板状のマグネット３０と、このマグネット３０の近傍に第１の回転検知具接点３１を設け、上面にこの第１の回転検知具接点３１が電源に繋がるコード２８ａを設けており、このコード２８はコードクリップ２７により吊下枠７の側面に固定している。
【００４７】
また、第２の回転検知具２４ａの上面に平板状の金属板３２と、この金属板３２の近傍に第２の回転検知具接点３３を設け、下面は天井扇風機本体４の天面に固定されており、第２の回転検知具接点３３はモータと導通している。
【００４８】
そして、第１の回転検知具２３ａの下面の平板状のマグネット３０と、第２の回転検知具２４ａの上面の平板状の金属板３２とが磁力により接合すると、第１の回転検知具接点３１と第２の回転検知具接点３３が接合し、モータが電源と導通状態となる。
【００４９】
また、マグネット３０と金属板３２との磁力による接合力は天井扇風機本体４が回転した場合の回転力より小さいものである。
【００５０】
すなわち、羽根が不正規の状態に取り付けられたまま天井扇風機本体を運転している場合などの大きな揺動で、突起１８が削れるかまたは折れることで、天井扇風機本体４が回転した場合に、異常回転検知手段１７ａは天井扇風機本体４の回転力により、マグネット３０と金属板３２との磁力による接合がはずれ、それに伴い、第１の回転検知具接点３１と第２の回転検知具接点３３もはずれ、モータへの電源供給を絶ち、モータの運転を停止することができる。
【００５１】
このように、磁力により接合することによって、天井扇風機本体４の回転力によって磁力による接合がはずれる場合に、接合力は磁力のみであるので、接合力が安定し、結果として天井扇風機本体４の回転の検知を安定させることが出来る。
【００５２】
（実施の形態３）
実施の形態３は図６に示すように、実施の形態１に対して異常回転検知手段が異なる。異常回転検知手段１７ｂは、第１の回転検知具２３ｂと第２の回転検知具２４ｂとから構成されている。
【００５３】
すなわち、異常回転検知手段１７ｂは第１の回転検知具２３ｂと第２の回転検知具２４ｂとの距離の変位によってモータへの通電を停止するものである。
【００５４】
具体的には、第１の回転検知具２３ｂは、上部に軸９が挿入され、円盤形状のプーリー８を挟む断面形状がＵ字型の第１の検知具取付部４１を設け、下部に第２の回転検知具２４ｂを覆うように曲面板形状の第１の検知具検知部４２を設けている。
【００５５】
第２の回転検知具２４ｂは、第１の検知具検知部４２に対向する位置で、ボールジョイント２１ｂの側面にプッシュオンスイッチ部４６が固定されている。このプッシュオンスイッチ部４６が第２の回転検知具２４ｂと接触状態ではプッシュオンスイッチ部４６は通電状態であり、第２の回転検知具２４ｂと非接触になるとプッシュオンスイッチ部４６は非通電状態となる。
【００５６】
なお、第２の回転検知具２４ｂの１例としてはリミットスイッチである。
【００５７】
すなわち、羽根が不正規の状態に取り付けられたまま天井扇風機本体を運転している場合などの大きな揺動で、突起１８が削れるかまたは折れることで、天井扇風機本体４が回転した場合に、第２の回転検知具２４ｂのプッシュオンスイッチ部４６は、第１の回転検知具２３ｂと非接触状態となり、モータへの通電を停止することができる。
【００５８】
このように、プッシュオンスイッチ部４６の接触、非接触によって天井扇風機本体４が回転したことを認識するので、天井扇風機本体４が回転しプッシュオンスイッチ部４６が第１の回転検知具２３ｂと非接触状態となっても充電部が露出することが無い。
【００５９】
（実施の形態４）
実施の形態４は図７に示すように、実施の形態１に対して異常回転検知手段が異なる。
【００６０】
異常回転検知手段１７ｃは、第１の回転検知具２３ｃと第２の回転検知具２４ｃと制御手段４０とから構成されている。
【００６１】
すなわち、異常回転検知手段１７ｃは第１の回転検知具２３ｃと第２の回転検知具２４ｃとの距離の変位を第２の回転検知具２４ｃにより電気信号として送信し、電気信号が所定のしきい値を超えた場合に、制御手段４０がモータへの通電を停止するものである。
【００６２】
具体的には、第１の回転検知具２３ｃは、上部に軸９が挿入され、円盤形状のプーリー８を挟む断面形状がＵ字型の第１の検知具取付部４１を設け、下部に第２の回転検知具２４ｂを覆うように曲面状の第１の検知具検知部４２を設けており、曲面状の第１の検知具検知部４２の内面には平面状のマグネット４３が固定されている。第２の回転検知具２４ｃは、第１の検知具検知部４２の平面状のマグネット４３に対向する位置で、ボールジョイント２１ｃの側面に磁気検出部４４が固定されている。この磁気検出部４４がマグネット４３の磁力を検出し、その検出値を制御手段４０へ電気信号として送信する。
【００６３】
また、制御手段４０は、天井扇風機本体４内に設けられ、磁気検出部４４からの検出値を電気信号として受信し、その検出値が所定のしきい値以下の場合にモータへの通電を停止するものである。
【００６４】
すなわち、羽根が不正規の状態に取り付けられたまま天井扇風機本体を運転している場合などの大きな揺動で、突起１８が削れるかまたは折れることで、天井扇風機本体４が回転した場合に、第２の回転検知具２４ｃの磁気検出部４４は、第１の回転検知具２３ｃのマグネット４３の磁力を検出し、その検出値を電気信号として制御手段４０に送信する。
【００６５】
そして、制御手段４０はその検出値が所定のしきい値以下の場合にはモータへの通電を停止することができる。
【００６６】
このように、第１の回転検知具２３ｃのマグネット４３と第２の回転検知具２４ｃの磁気検出部４４は、非接触状態での磁力を検出し、磁力の変化によって天井扇風機本体４が回転したことを認識するので、揺動時に異常回転検知手段１７ｃであるマグネット４３および磁気検出部４４の磨耗を防止できる。
【００６７】
また、制御手段４０にはしきい値が調整可能なしきい値調整手段４５を設けている。
【００６８】
このように、制御手段４０にしきい値調整手段４５を設けているので、現場でしきい値の調整が可能となる。
【００６９】
（実施の形態５）
実施の形態５は図８に示すように、実施の形態１に対して異常回転検知手段が異なる。
【００７０】
異常回転検知手段１７ｄは、第１の回転検知具２３ｄと第２の回転検知具２４ｄと制御手段４０ｄとから構成されている。
【００７１】
すなわち、異常回転検知手段１７ｄは第１の回転検知具２３ｄと第２の回転検知具２４ｄとの距離の変位を第２の回転検知具２４ｄにより電気信号として送信し、電気信号が所定のしきい値を超えた場合に、制御手段４０ｄがモータへの通電を停止するものである。
【００７２】
具体的には、第１の回転検知具２３ｄは上部に軸９が挿入され、円盤形状のプーリー８を挟む断面形状がＵ字型の第１の検知具取付部４１ｄを設け、下部に第２の回転検知具２４ｄを覆うように曲面状の第１の検知具検知部４２ｄを設けており、曲面状の第１の検知具検知部４２ｄの内面には平面状の反射板５０が固定されている。第２の回転検知具２４ｄは第１の検知具検知部４２ｄの平面状の反射板５０に対向する位置で、ボールジョイント２１ｄの側面に赤外線発光部５１と赤外線受光部５２が固定されている。この赤外線発光部５１が反射板５０に赤外線を発光し、この反射板５０から反射した赤外線を赤外線受光部５２で受光し、その検出値を制御手段４０ｃへ電気信号として送信する。
【００７３】
また、制御手段４０ｄは天井扇風機本体４内に設けられ、赤外線受光部５２からの検出値を電気信号として受信し、その検出値が所定のしきい値以下の場合にモータへの通電を停止する。
【００７４】
すなわち、羽根が不正規の状態に取り付けられたまま天井扇風機本体を運転している場合などの大きな揺動で、突起１８が削れるかまたは折れることで、天井扇風機本体４が回転した場合に、第２の回転検知具２４ｄの赤外線受光部５２は、第１の回転検知具２３ｄの反射板５０からの赤外線を検出し、その検出値を電気信号として制御手段４０ｄに送信する。そして、制御手段４０ｄはその検出値が所定のしきい値以下の場合にはモータへの通電を停止することができる。
【００７５】
このように、第１の回転検知具２３ｄの反射板５０と第２の回転検知具２４ｄの赤外線受光部５２は非接触状態で、赤外線の変化によって天井扇風機本体４が回転したことを認識するので、揺動時に異常回転検知手段１７ｄである反射板５０および赤外線受光部５２の磨耗を防止できる。
【産業上の利用可能性】
【００７６】
以上のように本発明は、天井に固定された連結金具に、吊下手段を介して吊下げられる天井扇風機本体で、前記吊下手段は前記連結金具に取付可能な第１連結部と、この第１連結部の下部に第２連結部を有し、前記天井扇風機本体は、水平方向に付設した複数の羽根を回転するモータと、そのモータの上部に突出したシャフトと、そのシャフトの上部に固定されたジョイント部を有し、このジョイント部は前記第２連結部に可動自在に取付け、前記第１連結部または前記第２連結部と、前記ジョイント部とに設けた本体回転防止手段が解除された場合、前記天井扇風機本体の回転と、前記第２連結部での前記ジョイント部の回転とを検知し、前記モータの運転を停止させる異常回転検知手段を設けるものであり、天井扇風機本体の連結部での異常な磨耗による本体の落下を防止することが出来る。
【００７７】
すなわち、本体回転防止手段と異常回転検知手段を設けたので、まず、運転時に天井扇風機本体に大きな揺動が発生した場合に、本体回転防止手段が解除され、天井扇風機本体が回転を始める。次に、異常回転検知手段が天井扇風機本体の回転を検知し、モータの運転を停止することができる。
【００７８】
これらのように、羽根が不正規の状態に取り付けられたまま天井扇風機本体を運転した場合等に発生する本体の大きな揺動を検知し、運転を停止することができるものであり、結果として、運転時に天井扇風機本体に大きな揺動が発生し、その揺動によって天井扇風機本体の連結部での異常な磨耗による本体の落下を防止することが出来る。
【００７９】
したがって、家庭用や事務所用などの、天井扇風機として活用が期待されるものである。
【符号の説明】
【００８０】
１      天井
２      連結金具
３      吊下手段
４      天井扇風機本体
５      第１連結部
６      第２連結部
７      吊下枠
８      プーリー
９      軸
１０    スペーサー
１１    シャフト
１２    切欠き部
１３    羽根
１４    ジョイント部
１５    受け部
１６    本体回転防止手段
１７    異常回転検知手段
１７ａ  異常回転検知手段
１７ｂ  異常回転検知手段
１７ｃ  異常回転検知手段
１７ｄ  異常回転検知手段
１８    突起
１９    溝
２０    隙間
２１    ボールジョイント
２１ｂ  ボールジョイント
２１ｃ  ボールジョイント
２１ｄ  ボールジョイント
２２    角部
２３    第１の回転検知具
２３ａ  第１の回転検知具
２３ｂ  第１の回転検知具
２３ｃ  第１の回転検知具
２３ｄ  第１の回転検知具
２４    第２の回転検知具
２４ａ  第２の回転検知具
２４ｂ  第２の回転検知具
２４ｃ  第２の回転検知具
２４ｄ  第２の回転検知具
２５    雌型コネクター
２６    雄型コネクター
２７    コードクリップ
２８    コード
２８ａ  コード
２９    充電部
３０    マグネット
３１    第１の回転検知具接点
３２    金属板
３３    第２の回転検知具接点
４０    制御手段
４０ｃ  制御手段
４０ｄ  制御手段
４１    第１の検知具取付部
４１ｄ  第１の検知具取付部
４２    第１の検知具検知部
４２ｄ  第１の検知具検知部
４３    マグネット
４４    磁気検出部
４５    しきい値調整手段
４６    プッシュオンスイッチ部
５０    反射板
５１    赤外線発光部
５２    赤外線受光部
【図１】
0005445616.tif 000002
【図２】
0005445616.tif 000003
【図３】
0005445616.tif 000004
【図４】
0005445616.tif 000005
【図５】
0005445616.tif 000006
【図６】
0005445616.tif 000007
【図７】
0005445616.tif 000008
【図８】
0005445616.tif 000009